(57)【要約】【課題】本発明は、化粧用パウダー容器に関し、ユーザーが吐出される内容物を直接目で確認し、必要な量だけ吐出して使用することができるようにすること。【解決手段】上部ケースを開栓した状態で、内容物を貯蔵しているラバー容器の下部面を軽く上方向に擦るように加圧すれば、ラバー容器が変形され、内容物を押出式で吐出するように構成される。【選択図】図１【特許請求の範囲】
【請求項１】
下部ケースと、
前記下部ケースに結合し、粉末状態の内容物を貯蔵し、ユーザーが加圧することによって、形状が変化し、貯蔵した内容物が押出式に吐出されるように弾性材質で構成されるラバー容器と、
前記ラバー容器の上部に位置し、前記ラバー容器の開放された上端を閉塞し、ユーザーの肌に内容物を塗布するための内容物塗布部材を収納する収納溝が形成され、前記ラバー容器に貯蔵した内容物が吐出されるように、前記収納溝の底面に多数の吐出ホールが形成される密閉部材と、
前記内容物塗布部材を包んで、前記下部ケースの一側に上下に回動できるようにヒンジ結合した上部ケースと、
前記上部ケースの内側に結合し、鏡が貫通し設置されるように貫通ホールが形成され、前記上部ケースが閉塞された状態で、前記密閉部材の上端に密着され、前記収納溝の開放された上部空間を密閉するシーリングキャップと、
を含むことを特徴とする化粧用パウダー容器。
【請求項２】
前記下部ケースの内側から前記ラバー容器と前記密封部材との間に位置し、前記ラバー容器と前記密閉部材との間の空間をシーリング処理し、前記密閉部材の下端部を嵌結合するように中空が形成されるシーリング板をさらに含むことを特徴とする請求項1に記載の化粧用パウダー容器。
【請求項３】
前記シーリング板の前面部の上端には、上方向に突出し形成され、前記上部ケースが閉まった状態を維持するように固定突起が形成された突出部を具備し、前記上部ケースの前面部の内側には、前記固定突起と結合する固定溝が形成されることを特徴とする請求項2に記載の化粧用パウダー容器。
【請求項４】
前記上部ケースの内側には、前記シーリングキャップの回転を防止するように回転防止溝が形成され、前記シーリングキャップには、前記回転防止溝に挿入される回転防止突起が具備されることを特徴とする請求項1に記載の化粧用パウダー容器。
【発明の詳細な説明】
【技術分野】
【０００１】
本発明は、化粧用パウダー容器に関し、より詳細には、上部ケースを開放した状態で、内容物を貯蔵しているラバー容器の下部面を軽く上方向に擦るように加圧すれば、ラバー容器が変形され、内容物が押出式で吐出するように構成されることにより、ユーザーが吐出される内容物を直接目で確認し、必要な量だけ吐出して使用することができる化粧用パウダー容器に関する。
【背景技術】
【０００２】
一般的に、化粧用、又は、あせもに塗るなどで使用されるパウダーは、所定容器に保管して使用し、通常は容器内部に一緒に内蔵するパフを使用してパウダーをつけて塗るように使用し、このような「パウダー粉末用化粧品ケース」が登録実用新案第20-0367726号（以下、「登録実用新案」とする。）に開示されている。
【０００３】
前記登録実用新案は、上部が開口され、内部にパウダー粉末Pを収納する空間部を有し、上部枠の外周面に、雄ネジ山112が形成された容器本体100と、前記容器本体100の雄ネジ山112にネジ結合し、上部蓋230と下部蓋210に区分され、回転可能に一側が相互にヒンジ235結合し、前記下部蓋210の中央部に多数個のパウダー排出孔222が形成される蓋部200と、を具備して構成されたことが特徴である。
【０００４】
前記のような構造で構成された登録実用新案は、容器本体100を逆に覆し、内部に収納するパウダー粉末Pをパウダー排出孔222を通って排出させた後、再び容器本体100を元の状態にすぐ立てた後、上部蓋230を開栓してパウダー粉末Pをパフ260の表面につけて使用するように構成され、容器本体100を覆し振ってパウダー粉末Pを吐出させた後、容器本体100を元の状態にすぐ立てた後に、使用しなければならない構造なので、使用上の不便さをもたらすだけでなく、吐出量調節が難しくて、多くのパウダー粉末を吐出することにより、内容物の無駄使いをもたらす問題があった。
【発明の概要】
【発明が解決しようとする課題】
【０００５】
本発明は、上述した問題点を解決するために考案されたもので、本発明の目的は、上部ケースを開栓した状態で、内容物を貯蔵しているラバー容器の下部面を軽く上方向に擦るように加圧すれば、ラバー容器が変形され、内容物が押出式で吐出するように構成されることにより、ユーザーが吐出される内容物を直接目で確認し、必要な量だけ吐出して使用することができる化粧用パウダー容器を提供することである。
【０００６】
また、上部ケースを閉栓した状態では、上部ケースの内側に具備した鏡が収納溝に収納しているパフを圧着し、吐出ホールを気密に閉栓するように構成されることにより、携帯の時にラバー容器の下部面が加圧されても、内容物が吐出ホールを通って吐出されることを防止することができる化粧用パウダー容器を提供する。
【課題を解決するための手段】
【０００７】
前記のような問題点を解決するために、本発明に係る化粧用パウダー容器は、下部ケースと、前記下部ケースに結合し、粉末状態の内容物を貯蔵し、ユーザーが加圧することによって、形状が変化し、貯蔵した内容物を押出式で吐出するように弾性材質で形成されるラバー容器と、前記ラバー容器の上部に位置し、ラバー容器の開放された上部を閉塞し、ユーザーの肌に内容物を塗布するための内容物塗布部材を収納するように収納溝が形成され、前記ラバー容器に貯蔵した内容物を吐出するように、前記収納溝の底面に多数の吐出ホールが形成される密閉部材と、前記内容物の塗布部材を包んで、前記下部ケースの一側に上下に回動できるようにヒンジ結合する上部ケースと、を含むことを特徴とする。
【０００８】
また、前記下部ケースの内側から前記ラバー容器と密閉部材間に位置し、前記ラバー容器と密閉部材間の空間をシーリング処理し、前記密閉部材の下端部を嵌結合するよう中空が形成されるシーリング板をさらに含むことを特徴とする。
【０００９】
また、前記シーリング板の前面部の上端には、上方向に突出し形成され、前記上部ケースを閉じた状態を維持するように固定突起が形成された突出部を具備し、前記上部ケースの前面部内側には、前記固定突起と結合する固定溝が形成されることを特徴とする。
【００１０】
また、前記上部ケースの内側に結合され、鏡が貫通し設置されるように貫通ホールが形成され、前記上部ケースが閉栓された状態で、前記密閉部材の上端に密着され、前記収納溝の開栓された上部空間を密閉するシーリングキャップをさらに含むことを特徴とする。
【００１１】
また、前記上部ケースの内側には、前記シーリングキャップの回転を防止するように回転防止溝が形成され、前記シーリングキャップには、前記回転防止溝に挿入される回転防止突起を具備することを特徴とする。
【発明の効果】
【００１２】
以上、上述したように、本発明によると、上部ケースを開放した状態で、内容物を貯蔵しているラバー容器の下部面を軽く上方向に擦るように加圧すれば、ラバー容器が変形され、内容物が押出式で吐出するように構成されることにより、ユーザーが吐出される内容物を直接目で確認し、必要な量だけ吐出させて使用することができる長所がある。
【００１３】
また、上部ケースを閉塞した状態では、上部ケースの内側に具備した鏡が収納溝に収納しているパフを圧着して吐出ホールを気密に閉塞するように構成されることにより、携帯の時にラバー容器の下部面が加圧されても内容物が吐出ホールを通って吐出されることを防止することができる長所がある。
【図面の簡単な説明】
【００１４】
【図１】本発明の好ましい実施例に係る化粧用パウダー容器の構成を示す分解斜視図である。
【図２】本発明の好ましい実施例に係る化粧用パウダー容器の構成を示す組立斜視図である。
【図３】本発明の好ましい実施例に係る化粧用パウダー容器の構成を示す組立断面図である。
【図４】本発明の好ましい実施例に係る化粧用パウダー容器の使用方法を示す説明図である。
【図５】本発明の好ましい実施例に係る化粧用パウダー容器の使用方法を示す説明図である。
【図６】本発明の好ましい実施例に係る化粧用パウダー容器の使用方法を示す説明図である。
【発明を実施するための形態】
【００１５】
以下、図面を参照して本発明を詳細に説明する。各図面に提示された同一の参照符号は、同一の部材を示す。
【００１６】
図1は、本発明の好ましい実施例に係る化粧用パウダー容器の構成を示す分解斜視図であり、図2は、本発明の好ましい実施例に係る化粧用パウダー容器の構成を示す組立斜視図であり、図3は、本発明の好ましい実施例に係る化粧用パウダー容器の構成を示す組立断面図である。
【００１７】
図1〜3を参照すると、本発明の好ましい実施例に係る化粧用パウダー容器は、下部ケース100、ラバー容器200、密閉部材300、上部ケース400を含む。
【００１８】
下部ケース100は、後述するラバー容器200と結合し、ラバー容器200を支持するものであり、その上端にラバー容器200の結合部210を結合することができるように結合溝110が形成される。
【００１９】
下部ケース100の後面には、上部ケース400をヒンジ結合することができるように一部が切開し形成されて空間を形成し、その前面にはユーザーが上部ケース400を開栓することが容易なように取っ手溝120が形成される。
【００２０】
また、下部ケース100は、ラバー容器200が内側に結合した状態で、ラバー容器200の貯蔵部220が外部に露出されることができるように、その下端部が開栓し形成される。
【００２１】
一方、下部ケース100の内側には、ラバー容器200と密閉部材300間に位置し、ラバー容器200と密閉部材300間の空間をシーリング処理するシーリング板500を結合し、シーリング板500は、その下面がラバー容器200の上端を加圧し、下部ケース100の内側に結合することによって、ラバー容器200が上方向に脱離されることを防止する。
【００２２】
また、シーリング板500は、ラバー容器200に貯蔵した内容物が密封部材300の吐出ホール311を通って吐出されることができるように密閉部材300の下端部を嵌結合する中空510が形成される。
【００２３】
また、シーリング板500の前面部上端には、上方向に突出し形成されて上部ケース400が閉じた状態を維持するように固定させる突出部520を具備し、突出部520の先端には上部ケース400の固定溝410に結合する固定突起521が形成される。
【００２４】
突出部520は、上部ケース400が閉栓された状態で、密閉部材300の挿入ホール320とシーリングキャップ600の挿入溝620を貫通し、固定突起521を介して上部ケース400の固定溝410に結合することにより、上部ケース400の閉じた状態を維持する。
【００２５】
ラバー容器200は、下部ケース100に結合し、粉末状態の内容物を貯蔵するものであり、下部ケース100の結合溝110に結合する結合部210、及び、内容物を貯蔵する貯蔵部220で構成される。
【００２６】
本発明において、貯蔵部220は、下部ケース100の開栓された下端を介して外部に露出され、ユーザーが露出された格納部220を加圧する場合は、その形状が変化される弾性材質で形成されることが特徴であり、ユーザーが貯蔵部220を擦るように上部に加圧の時に、その形状が変化され、貯蔵した内容物に圧力が加えられ、内容物を押出式で吐出が行われる。これにより、上部ケース400を開栓し、収納溝310に収納した内容物塗布部材Pを収納溝310から分離させた後、貯蔵部200を加圧の時に、ユーザーが吐出ホール311を通って吐出される内容物を直接目で確認し、必要な量だけ吐出して使用することができるので、ユーザーに使いやすさを提供することができる。
【００２７】
密閉部材300は、シーリング板500の内側に固定し設置され、ラバー容器200の上部に位置し、ラバー容器200の開栓された上端を閉栓するものであり、その上端にユーザーの肌に内容物を塗布するための内容物塗布部材Pを収納するように収納溝310が形成され、ラバー容器200に貯蔵した内容物を吐出するように、収納溝310の底面に多数の吐出ホール311が形成される。
【００２８】
本発明において、内容物塗布部材Pは、収納溝310とシーリングキャップ600が、形成する空間Sの高さよりも、厚さが厚く形成されることを特徴として、これにより、上部ケース400を閉栓の時に、上部ケース400の内側に具備した鏡Mによって圧着が行われ、吐出ホール311を閉栓するようになる。これにより、保管または携帯の中に、ラバー容器200が加圧されても吐出ホール311を通って内容物が吐出されることを防止することができる。つまり、使用のために、上部ケース400を開栓した状態でのみ、吐出ホール311が開栓され、内容物の吐出が行われる。
【００２９】
また、密閉部材300の前面部には、固定突起521が貫通し挿入されることができるように挿入ホール320が形成される。
【００３０】
上部ケース400は、内容物塗布部材Pを包んで、下部ケース100の後面部に上下に回動できるようにヒンジ結合するものであり、その前面部内側には閉栓された状態で、固定突起521と結合する固定溝410が形成される。
【００３１】
上部ケース400の内側には、上部ケース400が閉栓された状態で、密閉部材300の上端に密着され、収納溝310の開栓された上部空間を密閉するシーリングキャップ600が結合され、シーリングキャップ600は、上部ケース400の内側に具備する鏡Mが貫通し設置されるように中央部に貫通ホール610が形成され、その前面部には固定突起521が貫通して挿入されることができるように挿入溝620が形成される。
【００３２】
シーリングキャップ600は、上部ケース400を下方向に回動の時に、固定突起521が挿入される挿入溝620が方向性を維持することができるように、上部ケース400の内側に固定が行われ、上部ケース400の内側には、シーリングキャップ600の回転を防止するように回転防止溝420が形成され、シーリングキャップ600には、回転防止溝420に挿入される回転防止突起630が具備される。
【００３３】
以下では、図4〜6を参照し、本発明の好ましい実施例に係る化粧用パウダー容器の使用方法を説明する。
【００３４】
ユーザーがラバー容器200に貯蔵した内容物を使用するには、まず、図4に示すように、上部ケース400を上方向に回動して開栓させた後、収納溝310に収納している内容物塗布部材Pを収納溝310から分離させる。
【００３５】
次に、図5に示すように、ラバー容器200の貯蔵部220を手で加圧すると、弾性材質の貯蔵部220の形状の変化が行われ、貯蔵部220に貯蔵した内容物に圧力が加えられる。これにより、内容物が吐出ホール311を通って押出式で吐出が行われる。このとき、ユーザーは吐出ホール311を通って吐出される内容物を目で直接確認しながら吐出させることができるので、必要な量だけ貯蔵部220を加圧して内容物を吐出させることができる。
【００３６】
前記のように、吐出ホール311を通って収納溝310の上面に内容物の吐出が行われると、図6に示すように、内容物塗布部材Pを用いて収納溝310の上面に吐出された内容物をつけて肌に塗布することができる。
【００３７】
本発明は、前述したように、上部ケース400を開栓し、内容物塗布部材Pを把持した状態で、ラバー容器200を擦るように加圧すれば、吐出ホール311を通って粉末状態の内容物を吐出するように構成されることにより、容器を逆に覆してから、すぐ立てる操作をしなくても簡単に粉末状態の内容物を吐出することができ、ユーザーが吐出される内容物を直接目で確認し、必要な量だけ吐出して使用することができるので、ユーザーに使いやすさを提供することができる。
【００３８】
図面と明細書で最適の実施例を開示した。ここで特定の用語を用いたが、これは単に本発明を説明するための目的で用いたものであり、意味の限定や特許請求の範囲に記載された本発明の範囲を制限するために用いたものではない。従って、当該技術分野の通常の知識を有する者であれば、多様な変形および均等な他の実施例が可能であることを理解すべきである。また、本発明の真の技術的保護範囲は、添付された特許請求の範囲の技術的思想によって定められる。
【図１】
2018510721.tif 000002
【図２】
2018510721.tif 000003
【図３】
2018510721.tif 000004
【図４】
2018510721.tif 000005
【図５】
2018510721.tif 000006
【図６】
2018510721.tif 000007
【国際調査報告】
2018510721.tif 000008
2018510721.tif 000009
2018510721.tif 000010
2018510721.tif 000011